(57)【特許請求の範囲】
【請求項１】
制御チャネル及びデータチャネルを用いて無線通信装置と通信する無線通信端末が行うハンドオーバ制御方法であって、
当該無線通信端末が接続している自セルを提供する無線通信装置から送信された、所定の条件を満たせば隣接セルへのハンドオーバを開始するよう指示する条件付きハンドオーバコマンドを受信し、
前記所定の条件を満足するか否かを判定し、
前記所定の条件を満たせば、前記条件付きハンドオーバコマンドが示す前記隣接セルへのハンドオーバを開始するハンドオーバ制御方法であり、
前記自セルは複数の無線通信装置によって提供され、前記無線通信端末は前記複数の無線通信装置のうち小セルを構成する無線通信装置に接続されており、前記隣接セルは、前記小セルよりもカバレッジの大きなマクロセルであり、
前記所定の条件は、前記自セルにおける制御チャネルの信号の前記無線通信端末により測定された受信品質が所定の閾値よりも低いことである、
ハンドオーバ制御方法。
【請求項２】
請求項１に記載のハンドオーバ制御方法であって、
前記所定の条件は、前記無線通信端末により測定された、前記隣接セルにおけるデータチャネルの信号の受信品質が、前記自セルにおけるデータチャネルの信号の受信品質よりも良いことであるハンドオーバ制御方法。
【請求項３】
請求項１に記載のハンドオーバ制御方法であって、
前記所定の条件は、前記無線通信端末により測定された、前記隣接セルにおけるデータチャネルの信号の受信品質が、前記自セルにおけるデータチャネルの信号の受信品質よりも良いこと、又は、前記自セルにおける制御チャネルの信号の受信品質が所定の閾値よりも低いことであるハンドオーバ制御方法。
【請求項４】
請求項２〜３のいずれか一項に記載のハンドオーバ制御方法であって、
前記所定の条件には、前記条件付きハンドオーバコマンドの受信からの経過時間が、前記条件付きハンドオーバコマンドが示す制限時間に到達することが選択的に含まれるハンドオーバ制御方法。
【請求項５】
請求項１〜４のいずれか一項に記載のハンドオーバ制御方法であって、
前記自セルは複数の無線通信装置によって提供されるハンドオーバ制御方法。
【請求項６】
請求項１〜４のいずれか一項に記載のハンドオーバ制御方法であって、
前記自セルを提供する無線通信装置が備えるアンテナの本数は、前記隣接セルを提供する無線通信装置が備えるアンテナの本数よりも多いハンドオーバ制御方法。
【請求項７】
請求項１〜６のいずれか一項に記載のハンドオーバ制御方法であって、
前記所定の条件を満たしたとき、前記自セルを提供する無線通信装置に、前記隣接セルへのハンドオーバを開始することを示すメッセージを送信するハンドオーバ制御方法。
【請求項８】
請求項１〜７のいずれか一項に記載のハンドオーバ制御方法であって、
前記所定の条件を満たす前、前記自セルを提供する無線通信装置からハンドオーバを開始するよう指示するメッセージを受信すると、前記条件付きハンドオーバコマンドが示す前記隣接セルへのハンドオーバを開始するハンドオーバ制御方法。
【請求項９】
請求項１〜８のいずれか一項に記載のハンドオーバ制御方法であって、
前記所定の条件とは異なる条件又は異なる隣接セルへのハンドオーバを示す新たな条件付きハンドオーバコマンドを受信し、
前記新たな条件付きハンドオーバコマンドが示す条件を満たすか否かを判定し、
前記新たな条件付きハンドオーバコマンドが示す条件を満たせば、前記新たな条件付きハンドオーバコマンドが示す隣接セルへのハンドオーバを開始するハンドオーバ制御方法。
【請求項１０】
制御チャネル及びデータチャネルを用いて無線通信装置と通信する無線通信端末であって、
当該無線通信端末が接続している自セルを提供する無線通信装置から送信された、所定の条件を満たせば隣接セルへのハンドオーバを開始するよう指示する条件付きハンドオーバコマンドを受信する受信部と、
前記所定の条件を満足するか否かを判定するハンドオーバ判定部と、
前記所定の条件を満たせば、前記条件付きハンドオーバコマンドが示す前記隣接セルへのハンドオーバを開始するハンドオーバ処理部と、
を備えた無線通信端末であり、
前記自セルは複数の無線通信装置によって提供され、当該無線通信端末は前記複数の無線通信装置のうち小セルを構成する無線通信装置に接続されており、前記隣接セルは、前記小セルよりもカバレッジの大きなマクロセルであり、
前記所定の条件は、前記自セルにおける制御チャネルの信号の当該無線通信端末により測定された受信品質が所定の閾値よりも低いことである、
無線通信端末。
【請求項１１】
請求項１０に記載の無線通信端末であって、
前記所定の条件は、当該無線通信端末により測定された、前記隣接セルにおけるデータチャネルの信号の受信品質が、前記自セルにおけるデータチャネルの信号の受信品質よりも良いことである無線通信端末。
【請求項１２】
請求項１０に記載の無線通信端末であって、
前記所定の条件は、当該無線通信端末により測定された、前記隣接セルにおけるデータチャネルの信号の受信品質が、前記自セルにおけるデータチャネルの信号の受信品質よりも良いこと、又は、前記自セルにおける制御チャネルの信号の受信品質が所定の閾値よりも低いことである無線通信端末。
【請求項１３】
請求項１１〜１２のいずれか一項に記載の無線通信端末であって、
前記所定の条件には、前記条件付きハンドオーバコマンドの受信からの経過時間が、前記条件付きハンドオーバコマンドが示す制限時間に到達することが選択的に含まれる無線通信端末。
【請求項１４】
請求項１０〜１３のいずれか一項に記載の無線通信端末であって、
前記自セルは複数の無線通信装置によって提供される無線通信端末。
【請求項１５】
請求項１０〜１３のいずれか一項に記載の無線通信端末であって、
前記自セルを提供する無線通信装置が備えるアンテナの本数は、前記隣接セルを提供する無線通信装置が備えるアンテナの本数よりも多い無線通信端末。
【請求項１６】
請求項１０〜１５のいずれか一項に記載の無線通信端末であって、
前記所定の条件を満たしたとき、前記自セルを提供する無線通信装置に、前記隣接セルへのハンドオーバを開始することを示すメッセージを送信する無線通信端末。
【請求項１７】
請求項１０〜１６のいずれか一項に記載の無線通信端末であって、
前記所定の条件を満たす前、前記自セルを提供する無線通信装置からハンドオーバを開始するよう指示するメッセージを受信すると、前記条件付きハンドオーバコマンドが示す前記隣接セルへのハンドオーバを開始する無線通信端末。
【請求項１８】
請求項１０〜１７のいずれか一項に記載の無線通信端末であって、
前記所定の条件とは異なる条件又は異なる隣接セルへのハンドオーバを示す新たな条件付きハンドオーバコマンドを受信し、
前記新たな条件付きハンドオーバコマンドが示す条件を満たすか否かを判定し、
前記新たな条件付きハンドオーバコマンドが示す条件を満たせば、前記新たな条件付きハンドオーバコマンドが示す隣接セルへのハンドオーバを開始する無線通信端末。
【発明の詳細な説明】
【技術分野】
【０００１】
本開示は、制御チャネル及びデータチャネルを用いて一つ又は複数の無線通信装置と通信する無線通信端末が行うハンドオーバ制御方法、無線通信端末及び無線通信装置に関する。
【背景技術】
【０００２】
標準化団体３ＧＰＰ（The 3rd Generation Partnership Project）は、ＬＴＥ（Long Term Evolution）方式と互換性のある次世代の通信規格として、ＬＴＥ−Ａｄｖａｎｃｅｄ（Long Term Evolution Advanced：ＬＴＥ−Ａ）の標準化を進めている。ＬＴＥでは、ネットワーク（Evolved Universal Terrestrial Radio Access Network：E-UTRAN）の無線通信装置（以下「NE（Network Entity）」ともいう）は、１つ以上の通信セルを提供する。【０００３】
無線通信装置は、無線通信基地局（E-UTRAN NodeB：eNB）や張り出し基地局（Remote Radio Head：RRH）、中継装置（リレーノード又はリピータ）等といった、無線通信端末（User Equipment：UE）のアクセスポイントとなる装置である。無線通信端末は、無線通信装置が提供する１つ以上の通信セルのうちの１つの通信セルに属する。なお、無線通信端末は、複数の周波数を使用する場合、１つの周波数において１つの通信セルに属する。以下、通信セルを単に「セル」といい、無線通信端末を単に「端末」という。【０００４】
ＬＴＥでは、コネクテッド状態の端末が接続しているセル（Serving Cell、以下自セルという）の受信環境よりも良い受信環境の隣接セルが存在する場合、端末が接続するセルを自セルから隣接セルに切り替えるハンドオーバ（以下「HO」ともいう）技術が使用される。なお、隣接セルとは、端末が接続している自セル以外のすべてのセルの内の任意のセルを指す。なお、端末が接続していないセルであっても、端末が物理下り共有チャネル（Physical Downlink Shared Channel：PDSCH）の受信に使用している場合、当該セルは隣接セルに含まれても含まれなくてもよい。
【先行技術文献】
【非特許文献】
【０００５】
【非特許文献１】3GPP TS36.814 v9.0.0, “Evolved Universal Terrestrial Radio Access (E-UTRA); Further advancements for E-UTRA physical layer aspects”
【非特許文献２】3GPP TS36.331 v10.2.0, “Evolved Universal Terrestrial Radio Access (E-UTRA) Radio Resource Control (RRC)”
【非特許文献３】3GPP TS36.211 v10.1.0, “Evolved Universal Terrestrial Radio Access (E-UTRA) Physical Channels and Modulation”
【発明の概要】
【発明が解決しようとする課題】
【０００６】
本開示の目的は、無線通信端末が接続している自セルにおけるデータチャネルの信号の受信品質が制御チャネルの信号の受信品質と異なる場合であっても、無線通信端末の移動時に適切な状況で隣接セルにハンドオーバすることができるハンドオーバ制御方法、無線通信端末及び無線通信装置を提供することである。
【課題を解決するための手段】
【０００７】
本開示は、制御チャネル及びデータチャネルを用いて無線通信装置と通信する無線通信端末が行うハンドオーバ制御方法であって、当該無線通信端末が接続している自セルを提供する無線通信装置から送信された、所定の条件を満たせば隣接セルへのハンドオーバを開始するよう指示する条件付きハンドオーバコマンドを受信し、前記所定の条件を満足するか否かを判定し、前記所定の条件を満たせば、前記条件付きハンドオーバコマンドが示す前記隣接セルへのハンドオーバを開始するハンドオーバ制御方法を提供する。【０００８】
本開示は、制御チャネル及びデータチャネルを用いて無線通信装置と通信する無線通信端末であって、当該無線通信端末が接続している自セルを提供する無線通信装置から送信された、所定の条件を満たせば隣接セルへのハンドオーバを開始するよう指示する条件付きハンドオーバコマンドを受信する受信部と、前記所定の条件を満足するか否かを判定するハンドオーバ判定部と、前記所定の条件を満たせば、前記条件付きハンドオーバコマンドが示す前記隣接セルへのハンドオーバを開始するハンドオーバ処理部と、を備えた無線通信端末を提供する。【０００９】
本開示は、制御チャネル及びデータチャネルを用いて無線通信端末と通信し、当該無線通信端末が接続している自セルを提供する無線通信装置であって、前記無線通信端末から送信された情報又は当該無線通信装置が前記無線通信端末に提供している環境に基づいて、前記無線通信端末がハンドオーバする先の隣接セルを決定し、前記無線通信端末が行うハンドオーバとして、所定の条件を満たせば隣接セルへのハンドオーバを開始するよう指示するハンドオーバを開始する条件付きハンドオーバ又は条件が不要なハンドオーバのいずれかを選択する条件付きハンドオーバ判定部と、所定の条件を満たせば前記隣接セルへのハンドオーバを開始する条件付きハンドオーバコマンドを前記無線通信端末に送信する無線送信部と、前記無線通信端末がハンドオーバを開始したことを検知すると、前記隣接セルを提供する無線通信装置に前記無線通信端末宛のデータを転送するネットワーク用送信部と、を備えた無線通信装置を提供する。【００１０】
本開示は、制御チャネル及びデータチャネルを用いて無線通信端末と通信可能であって、当該無線通信端末が接続している自セルに隣接したセルを提供する無線通信装置であって、前記自セルを提供する無線通信装置から送信されたハンドオーバ要求メッセージを受信するネットワーク用受信部と、前記ハンドオーバ要求メッセージに基づいて、所定の条件を満たせば隣接セルへのハンドオーバを開始するよう指示する条件付きハンドオーバコマンド又は条件が不要なハンドオーバコマンドのいずれかを作成するコマンド作成部と、前記コマンド作成部が作成した前記条件付きハンドオーバコマンド又は前記ハンドオーバコマンドを含むハンドオーバ応答メッセージを、前記自セルを提供する無線通信装置に送信するネットワーク用送信部と、を備え、前記コマンド作成部は、前記条件付きハンドオーバコマンドを作成する際、前記無線通信端末に提供する環境基づいて、前記所定の条件を決定する無線通信装置を提供する。
【発明の効果】
【００１１】
本開示に係るハンドオーバ制御方法、無線通信端末及び無線通信装置によれば、無線通信端末が接続している自セルにおけるデータチャネルの信号の受信品質が制御チャネルの信号の受信品質と異なる場合であっても、無線通信端末の移動時に適切な状況で隣接セルにハンドオーバすることができる。
【図面の簡単な説明】
【００１２】
【図１】第１の実施形態の無線通信システムにおいて、端末がUE1ハンドオーバを行う際のタイミングチャートの一例を示す図
【図２】第１の実施形態の無線通信システムを構成する端末UE1のブロック図
【図３】所定の条件が条件１である場合の第１の実施形態の端末UE1の動作を示すフローチャート
【図４】所定の条件が条件３である場合の第１の実施形態の端末UE1の動作を示すフローチャート
【図５】第１の実施形態の無線通信システムを構成する無線通信装置SNE1のブロック図
【図６】第１の実施形態の無線通信システムを構成する無線通信装置TNEのブロック図
【図７】第２の実施形態の無線通信システムにおいて、端末UE2がハンドオーバを行う際のタイミングチャートの一例を示す図
【図８】第２の実施形態の無線通信システムを構成する端末UE2のブロック図
【図９】所定の条件が条件１である場合の第２の実施形態の端末UE2の動作を示すフローチャート
【図１０】第２の実施形態の無線通信システムを構成する無線通信装置SNE2のブロック図
【図１１】第３の実施形態の無線通信システムにおいて、端末UE3がハンドオーバを行う際のタイミングチャートの一例を示す図
【図１２】第３の実施形態の無線通信システムを構成する端末UE3のブロック図
【図１３】所定の条件が条件１である場合の第３の実施形態の端末UE3の動作を示すフローチャート
【図１４】第３の実施形態の無線通信システムを構成する無線通信装置SNE3のブロック図
【図１５】第４の実施形態の無線通信システムにおいて、端末UE4がハンドオーバを行う際のタイミングチャートの一例を示す図
【図１６】第４の実施形態の無線通信システムを構成する端末UE4のブロック図
【図１７】第４の実施形態の無線通信システムを構成する無線通信装置SNE4のブロック図
【図１８】自セルから隣接セルに端末がハンドオーバするタイミングの一例を示す図
【図１９】無線通信基地局eNB1のセルに接続中の端末が張り出し基地局（RRH）からもPDSCHを協調送信される場合に、自セルから隣接セルに端末がハンドオーバするタイミングの一例を示す図
【発明を実施するための形態】
【００１３】
（実施形態の内容に至る経緯）
本開示に係る無線通信システムの実施形態を説明する前に、従来の無線通信システムにおける課題について図１８及び図１９を参照して説明する。図１８は、自セルから隣接セルに端末がハンドオーバするタイミングの一例を示す図である。図１８に示す例では、各無線通信基地局が提供するセルのPDSCHの受信品質が一定以上のカバレッジとPDCCH（物理下り制御チャネル（Physical Downlink Control Channel））の受信品質が一定以上のカバレッジは等しい。したがって、無線通信基地局eNB1のセルに接続中の端末が図１８に示す地点Ａに移動すると、無線通信基地局eNB2が提供する隣接セルへのハンドオーバが行われる。なお、地点Ａは、各無線通信基地局が提供するセルのPDCCHの受信品質のカバレッジの中間地点である。
【００１４】
無線通信装置は、他の無線通信装置と協調してPDSCH(物理下り共有チャネル(Physical Downlink Shared Channel))を送信すれば、端末が受信するPDSCHのカバレッジを広くできる。図１９は、無線通信基地局eNB1のセルに接続中の端末が張り出し基地局（RRH）からもPDSCHを協調送信される場合に、自セルから隣接セルに端末がハンドオーバするタイミングの一例を示す図である。図１９に示されるRRHは、無線通信基地局eNB1から離れた位置に設置され、無線通信基地局eNB1と光ファイバケーブル等で接続される。図１９に示す例では、端末は、PDSCHを無線通信基地局eNB1とRRHの双方から受信する。このため、当該端末が受信する自セルのPDSCHの受信品質のカバレッジは、自セルのPDCCHの受信品質のカバレッジよりも大きい。
【００１５】
端末が自セルから無線通信基地局eNB2が提供する隣接セルへハンドオーバする状況としては、自セルにおけるPDSCHの受信品質よりも隣接セルにおけるPDSCHの受信品質が良い状況のほうが、端末のスループットを高い状態に維持することができる。しかしながら、図１９に示した例のように、自セルにおけるPDSCHの受信品質のカバレッジがPDCCHの受信品質のカバレッジよりも大きいと、無線通信基地局eNB1が端末にハンドオーバコマンドを送るタイミングは、図１８に示した場合よりも遅くなる。
【００１６】
このような状況下では、端末が自セルのPDCCH上の信号を確実に受信できないため、当該端末はハンドオーバコマンドを受信できない可能性が高い。これは、ハンドオーバコマンドを端末が受信するための無線リソースの割当が、PDCCH上の信号により行われるためである。その結果、端末は、新たなセルを探し、そのセルに接続を再確立するという手順が発生する。すなわち、端末がハンドオーバコマンドの受信を失敗すると、端末がハンドオーバを成功する場合と比較して、端末が無線通信装置とデータ通信できない期間が長くなる。
【００１７】
次に、本開示に係る無線通信システムの実施の形態について、図面を参照して詳細に説明する。以下説明する実施形態の無線通信システムは、少なくとも１つの無線通信端末と、無線通信ネットワークを介して無線通信端末と通信可能な複数の無線通信装置とを備える。以下の説明では、無線通信端末を単に「端末」という。端末は、例えば携帯電話機である。また、以下の説明において、無線通信装置とは、無線通信基地局（E-UTRAN NodeB：eNB）、無線通信基地局から離れた位置に設置される張り出し基地局（Remote Radio Head：RRH）、無線通信基地局等と無線で接続される中継装置（リレーノード又はリピータ）、フェムト基地局及びピコ基地局等を総称した、端末が無線で通信可能な装置である。なお、張り出し基地局（RRH）は、無線通信基地局（eNB）の無線部（Radio Frequency部：ＲＦ部）と同様の機能を有し、光ファイバケーブル等の有線ケーブルで無線通信基地局（eNB）に接続されている。
【００１８】
無線通信システムは、３ＧＰＰ（The 3rd Generation Partnership Project）で規格化されているＬＴＥ又はＬＴＥ−Ａの移動通信技術を利用する。但し、無線通信システムが利用する移動通信技術は、上記規格に限られず、無線ＬＡＮ（Wireless Local Area Network）、ＩＥＥＥ８０２.１６、ＩＥＥＥ８０２.１６ｅ若しくはＩＥＥＥ８０２.１６ｍ等のＷｉＭＡＸ（Worldwide Interoperability for Microwave Access）、３ＧＰＰ２、ＳＡＥ（System Architecture Evolution）、ＵＭＴＳ(Universal Mobile Telecommunications System)、又は第四世代移動通信規格であっても良い。
【００１９】
各無線通信装置は、少なくとも１つの通信セルを構成する。通信セルは、地理的エリアに対して割り当てられた識別子又は当該地理的エリアで用いられる周波数の相違に基づいて、端末がユニークに識別できる無線ネットワークオブジェクトをいう。
【００２０】
以下の説明では、通信セルを単に「セル」という。１つの無線通信装置によって、１つ以上のキャリア周波数の各々につき、１つ以上のセルが構成される。なお、上記構成は基本概念であり、無線通信装置が他の無線通信装置と協調して１つのセルを構成しても良い。また、端末は、無線通信装置が構成する少なくとも１つのセルを利用して通信する。
【００２１】
以下、第１〜第４の実施形態の無線通信システムについて順に説明する。なお、第１〜第４の実施形態において、同一機能を有する構成には同一符号を付し、重複する説明は省略する。また、下記各実施形態の無線通信システムでは、多地点協調（Coordinated Multiple Point：CoMP）と呼ばれる技術が用いられている。多地点協調（CoMP）とは、複数の無線通信装置が協調して動作することにより、端末のスループットを向上する技術である。複数の無線通信装置は別々のセルを構成し、端末は、ＣｏＭＰセット（１つの端末に対して協調して動作する無線通信装置群）内の１つの無線通信装置が構成するセル（自セル）に接続する。なお、複数の無線通信装置が一つのセルを構成してもよい。当該端末は、自セルから物理下り制御チャネル（Physical Downlink Control Channel：PDCCH）を受信し、ＣｏＭＰセットの各無線通信装置が協調して送信する端末宛のデータパケットを物理下り共有チャネル（Physical Downlink Shared Channel：PDSCH）で受信する。したがって、自セルにおけるPDSCHの受信品質が一定以上のカバレッジはPDCCHの受信品質が一定以上のカバレッジよりも大きい。
【００２２】
（第１の実施形態）
図１〜図６を参照して、第１の実施形態の無線通信システムについて説明する。第１の実施形態の無線通信システムは、上記説明した端末及び無線通信装置から構成される。端末は、ダウンリンクで無線通信装置からセル毎に送信された参照信号を受信して、定められた計算式に基づいて導出される測定結果を無線通信装置に報告する。無線通信装置は、各端末に対して無線リソース（例えば、周波数領域又は時間領域での周波数帯域）の割り当て及び管理を行い、端末のための無線アクセスネットワークのアクセスポイントの役割を有する。また、無線通信装置は、端末からの測定結果報告に基づいて他のセルへのハンドオーバが必要と判断した際にハンドオーバ処理を行う機能を有する。
【００２３】
図１は、第１の実施形態の無線通信システムにおいて、端末UE1がハンドオーバを行う際のタイミングチャートの一例を示す図である。図１に示すように、端末UE1が接続しているセル（Serving Cell、以下「自セル」という）を提供する無線通信装置（Source Network Entity）SNE1は、端末UE1から測定結果報告（Measurement Report）などを受信し、条件付きハンドオーバの実施とそのハンドオーバ先を決定する。次に、無線通信装置SNE1は、ハンドオーバ先の無線通信装置（Target Network Entity）TNEにハンドオーバ要求メッセージを送信する。無線通信装置TNEは、ハンドオーバ要求メッセージを受信すると、ハンドオーバの承認処理を行う。次に、無線通信装置TNEは、条件付きハンドオーバコマンドを含むハンドオーバ応答メッセージを無線通信装置SNE1に送信する。ハンドオーバ応答メッセージを受信した無線通信装置SNE1は、端末UE1に条件付きハンドオーバコマンドを送信する。条件付きハンドオーバコマンドには、端末UE1がハンドオーバを開始するタイミングを判断するために必要な所定の条件などが含まれる。
【００２４】
端末UE1は、条件付きハンドオーバコマンドを受信すると、後述する所定の条件を満たすか否かを継続的に監視（monitoring）する。そして、端末UE1は、所定の条件を満たすまでハンドオーバを開始せず、無線通信装置SNE1との通信を継続する。言い換えれば、端末UE1は、所定の条件を満たすと、無線通信装置SNE1との通信を停止し、条件付きハンドオーバコマンドで指示されている無線通信装置TNEが提供するセル（隣接セル）へのハンドオーバを開始する。無線通信装置SNE1は、端末UE1がハンドオーバを開始したことをなんらかの方法によって検知すると、端末UE1宛のデータの無線通信装置TNEへの転送、端末UE1宛のデータの送信を開始するシーケンス番号（Sequence Number）の通知、及び端末UE1からのデータを受信するシーケンス番号の通知を開始する。
【００２５】
なお、無線通信装置SNE1は、端末UE1のハンドオーバを検知する前に無線通信装置TNEへのデータ転送を開始しておき、端末UE1がハンドオーバを開始したことを検知すると、端末UE1宛のデータの送信を開始するシーケンス番号（Sequence Number）及び端末UE1からのデータを受信するシーケンス番号を無線通信装置TNEに通知してもよい。こうすることで、端末UE1は、ハンドオーバ後にすぐに無線通信装置TNEからデータを受信できる。また、無線通信装置TNEは、どのデータから端末UE1に送信を開始したらよいかを認識できるため、既に端末が受信しているデータを当該端末に送信せずにすむ。
【００２６】
ハンドオーバを開始した端末UE1は、まず、条件付きハンドオーバコマンドで指示されている無線通信装置TNEに、上り同期確立要求としてのランダムアクセスプリアンブル（Random Access Preamble）を送る。端末UE1は、無線通信装置TNEとの同期を確立すると、ハンドオーバ完了メッセージ（Handover Complete）を無線通信装置TNEに送信する。以上の手順により、端末UE1は、無線通信装置SNE1が提供する自セルから無線通信装置TNEが提供する隣接セルへのハンドオーバを行う。
【００２７】
上記説明した所定の条件の例として、以下に条件１〜１１を説明する。なお、所定の条件は、本開示の目的を満たす範囲において、条件１〜１１とは異なる条件でもよい。なお、図１に示した本実施形態の構成では、ハンドオーバ要求メッセージを受信した無線通信装置TNEが、所定の条件を設定する。なお、所定の条件を条件１〜１１のどの条件に設定するかによって、端末UE1がハンドオーバを開始するタイミングが異なる。
【００２８】
（条件１）
条件１は、端末により測定された、条件付きハンドオーバコマンドが示すハンドオーバ先のセル（隣接セル）におけるPDSCHの受信品質が、自セルにおけるPDSCHの受信品質よりも良いことである。条件１をハンドオーバの開始条件として設定することによって、端末がPDSCHの受信品質が高いセルに接続する時間が長くなる。このため、無線資源の有効活用ができるとともに、端末の周波数利用効率を高い水準で維持できる。
【００２９】
なお、条件１を設定する場合、端末は、例えば、セル参照信号（Cell-Specific Reference Symbol：CRS）を用いて測定したＲＳＲＰに基づいて、ハンドオーバ先のセルのPDSCHの受信品質を導出する。また、端末は、条件付きハンドオーバコマンドがオフセット値を含むことを前提に、CRSを用いて測定した測定結果にオフセット値を加算することによって、ハンドオーバ先のセルのPDSCHの受信品質を算出してもよい。CRSを用いた受信品質の測定は従来より行われているため、ハンドオーバ先のセルのPDSCHの受信品質を得るために端末の仕様を大きく変更する必要がない。
【００３０】
また、端末は、PDSCH領域にあるCSI-RS（CSI Reference Signals）を用いて、自セルのPDSCHとして、現在使用しているPDSCHの受信品質を測定してもよい。なお、端末は、現在使用しているPDSCHの受信品質のみをCSI-RSを用いて測定し、ハンドオーバ先のセルのPDSCHの受信品質は上記説明したCRSを用いた測定結果を用いて導出してもよい。
【００３１】
さらに、端末は、PDSCH領域にあるDMRS（Demodulation Reference Signals）を用いて、自セルのPDSCHとして、現在使用しているPDSCHの受信品質を測定してもよい。なお、端末は、現在使用しているPDSCHの受信品質のみをDMRSを用いて測定し、ハンドオーバ先のセルのPDSCHの受信品質は上記説明したCRSを用いた測定結果を用いて導出してもよい。但し、PDSCHの測定方法は、上記の方法によらずどのような方法を用いてもよい。
【００３２】
（条件２）
条件２は、端末が現在接続しているセル（自セル）のPDCCHの当該端末により測定された受信品質が閾値よりも低いことである。条件２をハンドオーバの開始条件として設定すれば、端末が自セルからのデータを受信できなくなった直後又は端末が自セルからのデータを受信できなくなる直前にハンドオーバが開始される。このため、端末がデータを受信できない無通信期間を最小限にすることができる。
【００３３】
自セルのPDCCHの受信品質と比較される閾値は、条件付きハンドオーバコマンドに含まれる。なお、閾値は、自セルのPDCCHを受信できなくなる値であってもよく、この場合、当該閾値を端末が保持してもよい。なお、条件付きハンドオーバコマンドは、端末が保持する端末が自セルのPDCCHを受信できなくなる値を閾値として使用するよう通知してもよい。
【００３４】
（条件３）
条件３は、条件１又は条件２を満たすことである。条件３をハンドオーバの開始条件として設定することによって、PDSCHの受信品質を考慮しつつ無通信期間を最小限に抑えることができる。
【００３５】
（条件４）
条件４は、条件付きハンドオーバコマンドの受信からの経過時間が「ハンドオーバ開始制限時間」に到達することである。端末は、条件４を満たす直前にハンドオーバを開始する。条件４をハンドオーバの開始条件として設定することによって、ハンドオーバ先の無線通信装置が、ハンドオーバしてくる端末のために待機する時間を制限することができる。なお、端末がハンドオーバを開始して実際に隣接セルにハンドオーバするまでの遅延がハンドオーバ先の無線通信装置によって考慮されるのであれば、端末は、条件４を満たした後にハンドオーバを開始してもよい。この場合、ハンドオーバ先の無線通信装置における、ハンドオーバしてくる端末のためのリソースを予約しておく期間を最小限に抑えることができる。
【００３６】
（条件５）
条件５は、ハンドオーバの開始のための条件ではなく、条件付きハンドオーバの処理を中止するための条件である。条件５は、条件付きハンドオーバコマンドの受信からの経過時間が「条件付きハンドオーバ取消時間」に到達することである。端末は、条件５を満たすと条件付きハンドオーバの処理を中止する。条件５を条件付きハンドオーバの中止条件として設定することによって、ハンドオーバ先の無線通信装置が、ハンドオーバしてくる端末のために待機する時間を制限することができる。また、端末は、条件５を満たす直前に条件付きハンドオーバの処理を中止してもよい。この場合、ハンドオーバ先の無線通信装置における、ハンドオーバしてくる端末のためのリソースを予約しておく期間を最小限に抑えることができる。
【００３７】
（条件６）
条件６は、条件１又は条件４を満たすことである。
【００３８】
（条件７）
条件７は、条件５を満たす前に条件１を満たすことである。なお、条件１を満たす前に条件５を満たすと、端末は、条件付きハンドオーバの処理を中止する。
【００３９】
（条件８）
条件８は、条件２又は条件４を満たすことである。
【００４０】
（条件９）
条件９は、条件５を満たす前に条件２を満たすことである。なお、条件２を満たす前に条件５を満たすと、端末は、条件付きハンドオーバの処理を中止する。
【００４１】
（条件１０）
条件１０は、条件３又は条件４を満たすことである。言い換えると、条件１０は、条件１、条件２又は条件４を満たすことである。
【００４２】
（条件１１）
条件１１は、条件５を満たす前に条件３を満たすことである。なお、条件３を満たす前に条件５を満たすと、端末は、条件付きハンドオーバの処理を中止する。
【００４３】
（条件１２）
条件１２は、ハンドオーバの開始のための条件ではなく、条件付ハンドオーバの処理を中止するための条件である。自セルのPDCCHの当該端末により測定された受信品質が閾値よりも高いことである。
【００４４】
（条件１３）
条件１３は、ハンドオーバの開始のための条件ではなく、条件付ハンドオーバの処理を中止するための条件である。自セルのPDCCHの当該端末により測定された受信品質がハンドオーバ先のPDCCHの当該端末により測定された受信品質が高いことである。なお、受信品質にオフセットを加味して判定してもよい。
【００４５】
（条件１４）
条件１４は、ハンドオーバの開始のための条件ではなく、条件付ハンドオーバの処理を中止するための条件である。自セルのPDSCHの当該端末により測定された受信品質がハンドオーバ先のPDCCHの当該端末により測定された受信品質が高いことである。
【００４６】
なお、上記説明した所定の条件とは別に、端末UE1及び無線通信装置TNEは、ランダムアクセスプリアンブル（Random Access Preamble）の個別リソースを保持するタイマーを有してもよい。この場合、無線通信装置TNEは、条件付きハンドオーバコマンドに、ランダムアクセスプリアンブルの個別リソースを保持するタイマー（個別ＲＡＣＨ保持タイマー）の値を含める。端末UE1は、個別ＲＡＣＨ保持タイマーの値を含む条件付きハンドオーバコマンドを受信すると、個別ＲＡＣＨ保持タイマーによるカウントを開始する。端末UE1は、個別ＲＡＣＨ保持タイマーがカウントを行っている間は、ハンドオーバ時にランダムアクセスプリアンブルを個別リソースで送信する。一方、端末UE1がハンドオーバを開始するまでに個別ＲＡＣＨ保持タイマーがきれる（expire）と、端末UE1は、ランダムアクセスプリアンブルの個別リソースが使用できないと判断し、コンテンション(contention)ベースのランダムアクセス（Random Access Procedure）を開始する。このようにすることで、ネットワークがひとつの端末に対して、ランダムアクセスプリアンブルの個別リソースを消費する数を制限することができる。
【００４７】
なお、個別ＲＡＣＨ保持タイマーの値は端末UE1が保持し、条件付きハンドオーバコマンドにランダムアクセスプリアンブルの個別リソースが含まれる場合、端末は、常に個別ＲＡＣＨ保持タイマーを開始してもよい。また、条件付きハンドオーバコマンドに個別ＲＡＣＨ保持タイマーの値が含まれる場合、端末、自身が保持する個別ＲＡＣＨ保持タイマーの値を更新してもよい。なお、条件付きハンドオーバコマンドに、個別ＲＡＣＨ保持タイマーを使用するか否かのフラグを含めてもよい。
【００４８】
［第１の実施形態の端末UE1の構成］
図２は、第１の実施形態の無線通信システムを構成する端末UE1のブロック図である。図２に示すように、第１の実施形態の端末UE1は、受信部１０１と、制御部１０３と、送信部１０５とを備える。制御部１０３は、測定部１１１と、ハンドオーバ判定部１１３と、ハンドオーバ情報保持部１１５と、ハンドオーバ処理部１１７とを有する。なお、上記説明した所定の条件が条件４〜条件１１のいずれかであるとき、端末UE1は、条件付きハンドオーバコマンドの受信からの経過時間をカウントするタイマー（図示せず）を有する。タイマーは、条件付きハンドオーバコマンドが設定する時間をカウントするときれる（expire）。
【００４９】
受信部１０１は、制御部１０３からの指示に応じて、端末UE1が接続しているセルのダウンリンクを介して、報知情報又は個別制御情報等の制御情報を受信する。受信部１０１は、受信した報知情報及び個別制御情報等を制御部１０３へ出力する。また、受信部１０１は、制御部１０３の測定部１１１からの指示に応じて、参照信号（例えば、セル参照信号（Cell Reference Signal：CRS））の受信又は受信信号強度（Received Signal Strength Indication：RSSI）の測定等を行う。受信部１０１は、受信した参照信号又はRSSI等の測定結果を測定部１１１に出力する。受信部１０１は、ハンドオーバ先のセルからランダムアクセス応答（Random Access Response）などを受信し、制御部１０３へ出力する。
【００５０】
制御部１０３は、受信部１０１に報知情報又は個別制御情報等の受信を指示する。制御部１０３には、受信部１０１が受信した報知情報又は個別制御情報等の制御情報が入力される。制御部１０３は、入力された制御情報に条件付きハンドオーバコマンドが含まれているかを判定する。制御部１０３は、条件付きハンドオーバコマンドを含む制御情報が入力された場合、当該条件付きハンドオーバコマンドに含まれる上記所定の条件をハンドオーバ判定部１１３に出力する。また、制御部１０３は、ハンドオーバに必要な情報をハンドオーバ情報保持部１１５に格納する。さらに、制御部１０３は、ハンドオーバ判定部１１３がハンドオーバの開始を決定すると、ハンドオーバに必要な情報をハンドオーバ情報保持部１１５から読み出してハンドオーバ処理部１１７に出力する。
【００５１】
また、制御部１０３は、受信した信号に対するACK/NACKの送信を送信部１０５に指示する。また、制御部１０３は、制御情報に応じたCSI報告又は測定結果報告（Measurement Report）を作成するために、必要な情報の測定を制御部１０３の測定部１１１に指示する。また、制御部１０３は、測定部１１１から入力された情報に基づいて、CSI報告又は測定結果報告（Measurement Report）を作成し、これを送信部１０５に出力する。
さらに、制御部１０３は、受信部１０１からハンドオーバ先のセルからのランダムアクセス応答など同期に必要な情報が入力されると、当該情報をハンドオーバ処理部１１７に出力する。
【００５２】
送信部１０５は、端末UE1が接続しているセルから受信した信号に対するACK/NACKを送信する。また、送信部１０５は、制御部１０３から入力されたCSI報告又は測定結果報告を、当該セルを提供する無線通信装置に送信する。また、送信部１０５は、ハンドオーバ処理部１１７からの通知に従い、ランダムアクセスプリアンブル（Random Access Preamble）をハンドオーバ先のセルに送信する。さらに、送信部１０５は、制御部１０３が作成したハンドオーバ完了メッセージ（Handover Complete）をハンドオーバ先のセルに送信する。
【００５３】
以下、制御部１０３が有する各構成要素について説明する。測定部１１１は、制御部１０３又はハンドオーバ判定部１１３からの指示に応じて、受信部１０１に参照信号の受信又は受信信号強度（RSSI）の測定を指示する。なお、参照信号とは、セル参照信号（CRS）、CSI-RS又はDMRS等であり、何を受信するかについては制御情報で指示される。また、測定部１１１は、CSI報告又は測定結果報告（Measurement Report）の作成に必要な情報を制御部１０３に出力する。さらに、測定部１１１は、ハンドオーバ判定部１１３からの指示に応じて、所定の条件に基づくハンドオーバ判定部１１３の判定に必要な情報をハンドオーバ判定部１１３に出力する。
【００５４】
ハンドオーバ判定部１１３は、条件付きハンドオーバコマンドに含まれる所定の条件に基づく判定に必要な情報を、測定部１１１に要求する。ハンドオーバ判定部１１３は、測定部１１１から入力された情報が所定の条件を満たすか否か等を判定することで、ハンドオーバを開始するか否かを決定する。ハンドオーバ判定部１１３は、ハンドオーバの開始を決定すると、これをハンドオーバ処理部１１７に通知する。
【００５５】
ハンドオーバ情報保持部１１５は、隣接セルへのハンドオーバに必要な情報を保持する。なお、隣接セルへのハンドオーバに必要な情報とは、条件付きハンドオーバコマンド又は条件を要さない従来のハンドオーバコマンドに含まれる情報であり、例えば、測定設定（Measurement Configuration）、移動制御情報（Mobility Control Information）、無線資源の設定（Radio Resource Configuration）及びセキュリティの設定（Security Configuration）等が含まれる。
【００５６】
ハンドオーバ処理部１１７は、隣接セルへのハンドオーバに必要な情報が入力されると、その情報に基づいて、当該隣接セルへのハンドオーバの処理を開始する。当該入力された情報にランダムアクセス用の個別リソースが含まれている場合、ハンドオーバ処理部１１７は、そのリソースを用いてランダムアクセスを行うよう送信部１０５に通知する。一方、当該入力された情報にランダムアクセス用の個別リソースが含まれていない場合、ハンドオーバ処理部１１７は、当該情報に基づいて、コンテンションベースのランダムアクセス（Random Access Procedure）を行うよう送信部１０５に通知する。ハンドオーバ処理部は、ハンドオーバ先のセルとの同期がとれると、ハンドオーバ完了メッセージ（Handover Complete）を作成し、これを送信部１０５に出力する。
【００５７】
［第１の実施形態の端末UE1の動作］
図３は、所定の条件が条件１である場合の第１の実施形態の端末UE1の動作を示すフローチャートである。図３に示すように、端末UE1は、条件付きハンドオーバコマンドを受信する（ステップＳ１０１）。端末UE1は、ハンドオーバ先のセルのPDSCHの受信品質が、自セルのPDSCHの受信品質（すなわち、現在使用しているPDSCHの受信品質）よりも良いか否かを判定する（ステップＳ１０２）。ステップＳ１０２の判定結果がＮｏの場合はステップＳ１０３へ移行し、Ｙｅｓの場合はステップＳ１０４へ移行する。ステップＳ１０３では、端末UE1は、自セルとの通信を継続し、ステップＳ１０２に戻る。ステップＳ１０４では、端末UE1は、自セルとの通信を停止し、ハンドオーバ先のセルへのハンドオーバを開始する。
【００５８】
図４は、所定の条件が条件３である場合の第１の実施形態の端末UE1の動作を示すフローチャートである。図４に示すように、端末UE1は、条件付きハンドオーバコマンドを受信する（ステップＳ１０１）。端末UE1は、ハンドオーバ先のセルのPDSCHの受信品質が、自セルのPDSCHの受信品質（すなわち、現在使用しているPDSCHの受信品質）よりも良いか否かを判定する（ステップＳ１０２）。ステップＳ１０２の判定結果がＮｏの場合はステップＳ１３１へ移行し、Ｙｅｓの場合はステップＳ１０４へ移行する。ステップＳ１３１では、端末UE1は、自セルのPDCCHの受信品質が条件２を満たすか否かを判定する。ステップＳ１３１の判定結果がＮｏの場合はステップＳ１０３へ移行し、Ｙｅｓの場合はステップＳ１０４へ移行する。ステップＳ１０３では、端末UE1は、自セルとの通信を継続し、ステップＳ１０２に戻る。ステップＳ１０４では、端末UE1は、自セルとの通信を停止し、ハンドオーバ先のセルへのハンドオーバを開始する。
【００５９】
［第１の実施形態の無線通信装置SNE1（Source NE1）の構成］
図５は、第１の実施形態の無線通信システムを構成する無線通信装置SNE1のブロック図である。図５に示すように、第１の実施形態の無線通信装置SNE1は、無線受信部１２１と、ネットワーク用受信部１２３と、ネットワーク用送信部１２５と、無線送信部１２７と、制御部１２９とを備える。制御部１２９は、条件付きハンドオーバ判定部１３１と、ハンドオーバ要求部１３３とを有する。
【００６０】
無線受信部１２１は、端末UE1から送信された個別制御情報に対する応答メッセージ、測定結果報告（Measurement Report）、ACK/NACK、CSI報告などを受信して、制御部１２９に出力する。ネットワーク用送信部１２５は、ハンドオーバ要求メッセージをハンドオーバ先のセルを提供する無線通信装置TNEに送信する。また、ネットワーク用送信部１２５は、端末UE1宛のデータを無線通信装置TNEに転送する。また、ネットワーク用送信部１２５は、端末UE1宛のデータの送信を開始するシーケンス番号（Sequence Number）及び端末UE1からのデータを受信するシーケンス番号を無線通信装置TNEに通知する。ネットワーク用受信部１２３は、無線通信装置TNEから送信された、条件付きハンドオーバコマンドを含むハンドオーバ応答メッセージを受信する。無線送信部１２７は、条件付きハンドオーバコマンドを端末に送信する。
【００６１】
制御部１２９は、無線受信部１２１が受信した測定結果報告（Measurement Report）を条件付きハンドオーバ判定部１３１に出力する。なお、制御部１２９は、端末UE1がPDCCHの受信品質とPDSCHの受信品質を区別した測定結果報告を作成していない場合、無線通信装置SNE1が現在端末UE1に提供している環境（たとえば、トラフィックの状況、CoMPの有無、MIMOの有無、アンテナ本数、ヘテロジーニアスネットワーク（Heterogeneous Network）環境の有無、又はPDCCHの受信品質に対するPDSCHの受信品質の利得など）に関する情報を、条件付きハンドオーバ判定部１３１に出力する。
【００６２】
制御部１２９は、ハンドオーバ要求部１３３からハンドオーバ要求メッセージに必要な情報を要求されると、端末UE1の設定情報などをハンドオーバ要求部１３３へ出力する。また、制御部１２９は、ネットワーク用受信部１２３が無線通信装置TNEから送られた条件付きハンドオーバコマンドを含むハンドオーバ応答メッセージを受信すると、無線送信部１２７が条件付きハンドオーバコマンドを端末UE1に送信するよう制御する。
【００６３】
制御部１２９は、条件付きハンドオーバコマンドを端末UE1に送信した後、端末UE1がハンドオーバを開始したことを検知すると、端末UE1宛のデータをハンドオーバ先のセルを提供する無線通信装置TNEに転送するよう、ネットワーク用送信部１２５を制御する。また、制御部１２９は、端末UE1がハンドオーバを開始したことを検知すると、端末UE1宛のデータの送信を開始するシーケンス番号（Sequence Number）及び端末UE1からのデータを受信するシーケンス番号をハンドオーバ先のセルを提供する無線通信装置TNEに通知するよう、ネットワーク用送信部１２５を制御する。なお、制御部１２９は、以下に示す条件の少なくとも１つを満たしたとき、端末UE1がハンドオーバを開始したと判断する。但し、これらの条件以外の条件が用いられても良い。
１．CSI報告の値が「Out of Range」である。
２．CSI報告が送信されてこない。
３．ACK/NACKが送信されてこない。
なお、ハンドオーバ先の無線通信装置TNEが、端末UE1がハンドオーバした後に、ハンドオーバ元の無線通信装置SNEにハンドオーバが完了したことを通知するタイミングで、ハンドオーバ元の無線通信装置SNEがハンドオーバの完了を検知してもよい。
【００６４】
以下、制御部１２９が有する各構成要素について説明する。条件付きハンドオーバ判定部１３１は、無線受信部１２１が受信した測定結果報告又は無線通信装置SNE1が現在端末UE1に提供している環境に基づいてハンドオーバ先のセルを決定するとともに、端末UE1が行うハンドオーバの種類として、条件付きハンドオーバ又は通常のハンドオーバのいずれかを選択する。条件付きハンドオーバ判定部１３１が条件付きハンドオーバを選択する判定基準は、例えば、端末UE1が接続中のセルに留まることでスループットが高くなるか、また、トラフィック状況として端末UE1との接続を維持できるかである。但し、判定基準はこれに限らない。
【００６５】
条件付きハンドオーバ判定部１３１は、条件付きハンドオーバを選択すると、条件付きハンドオーバを選択した旨の情報及びハンドオーバ先のセルに関する情報を、ハンドオーバ要求部１３３に出力する。
【００６６】
ハンドオーバ要求部１３３は、条件付きハンドオーバ判定部１３１から条件付きハンドオーバを選択した旨の情報及びハンドオーバ先のセルに関する情報が入力されると、無線受信部１２１が受信した測定結果報告等のハンドオーバに必要な情報を制御部１２９から取得し、ハンドオーバ要求メッセージを作成する。なお、ハンドオーバ要求部１３３は、無線通信装置SNE1が現在端末UE1に提供している環境を含むハンドオーバ要求メッセージを作成する。ハンドオーバ要求部１３３は、ハンドオーバ要求メッセージをネットワーク用送信部１２５へ出力する。
【００６７】
なお、ハンドオーバ要求メッセージに、無線通信装置SNE1が現在端末UE1に提供している環境が含まれることによって、ハンドオーバ先のセルを提供する無線通信装置TNEは、条件付きハンドオーバコマンドが含む所定の条件の内容（上記条件１〜１１のいずれか）を決定することができる。
【００６８】
［第１の実施形態の無線通信装置TNE（Target NE）の構成］
図６は、第１の実施形態の無線通信システムを構成する無線通信装置TNEのブロック図である。図６に示すように、第１の実施形態の無線通信装置TNEは、無線受信部１４１と、ネットワーク用受信部１４３と、ネットワーク用送信部１４５と、無線送信部１４７と、制御部１４９とを備える。制御部１４９は、条件付きハンドオーバコマンド作成部１５１を有する。なお、上記説明した所定の条件が条件４〜条件１１のいずれかであるとき、無線通信装置TNEは、条件付きハンドオーバコマンドを含むハンドオーバ応答メッセージの送信からの経過時間をカウントするタイマー（図示せず）を有する。当該タイマーがきれる（expireする）時間は、端末UE1のタイマーがきれる時間よりも長い。
【００６９】
無線受信部１４１は、端末からの同期要求であるランダムアクセスプリアンブル（Random Access Preamble）又はハンドオーバ完了メッセージ（Handover Complete）などを受信して、制御部へ出力する。ネットワーク用受信部１４３は、ハンドオーバ元のセルを提供する無線通信装置SNE1から送信されたハンドオーバ要求メッセージを受信する。ネットワーク用送信部１４５は、条件付きハンドオーバコマンドを含むハンドオーバ応答メッセージを、ハンドオーバ要求メッセージを送信してきた無線通信装置SNE1に送信する。無線送信部１４７は、端末UE1から送信されたランダムアクセスプリアンブルに対するランダムアクセス応答メッセージを端末UE1に送信する。
【００７０】
制御部は、無線受信部１４１が受信したランダムアクセスプリアンブルに対するランダムアクセス応答メッセージを作成し、それを無線送信部１４７へ出力する。また、制御部１４９は、ハンドオーバ要求メッセージを受信すると、その要求を受け入れるか否かを判定する。ハンドオーバの要求を受け入れる場合、制御部１４９は、ハンドオーバを行う端末に提供する環境及びハンドオーバ要求メッセージを条件付きハンドオーバコマンド作成部１５１へ出力する。
【００７１】
条件付きハンドオーバコマンド作成部１５１は、制御部１４９から入力された情報（ハンドオーバ要求メッセージ、及びハンドオーバを行う端末に提供する環境）に基づいて、条件付きハンドオーバか通常のハンドオーバかを判定する。さらに、条件付きハンドオーバコマンド作成部１５１は、条件付きハンドオーバを行うと判定すると、制御部１４９から入力された情報（ハンドオーバ要求メッセージ、及びハンドオーバを行う端末に提供する環境）に基づいて所定の条件を決定し、当該所定の条件を含む条件付きハンドオーバコマンドを作成する。条件付きハンドオーバコマンド作成部１５１は、作成した条件付きハンドオーバコマンドをネットワーク用送信部１４５に出力する。なお、条件付きハンドオーバコマンド作成部１５１は、ハンドオーバ要求メッセージが通常のハンドオーバを要求する場合、又は、通常のハンドオーバを行うと判定する場合、通常のハンドオーバコマンドを作成する。
【００７２】
なお、上記では、無線通信装置TNEが所定の条件を決定し、かつ、条件付きハンドオーバコマンドを作成すると説明したが、下記方法でもよい。
１．無線通信装置SNE1が所定の条件を決定し、ハンドオーバ要求メッセージとともに当該所定の条件を無線通信装置TNEに送信する。無線通信装置TNEは所定の条件に基づいて条件付きハンドオーバコマンドを作成する。
２．無線通信装置SNE1は、条件付きハンドオーバコマンドを含むハンドオーバ応答メッセージを無線通信装置TNEから受信した後に、条件付きハンドオーバコマンドが示す所定の条件を変更した上で条件付きハンドオーバコマンドを端末UE1に送信してもよい。
【００７３】
以上説明したように、本実施形態によれば、自セルにおけるPDCCHの受信品質のカバレッジとPDSCHの受信品質のカバレッジが異なる場合であっても、端末は、無線通信装置から送られた条件付きハンドオーバコマンドに応じて、所定の条件が満たされるとハンドオーバを開始する。ハンドオーバを開始する際の所定の条件は、自セル及びハンドオーバ先である隣接セルの各PDSCHの受信品質若しくは自セルのPDCCHの受信品質、又は、条件付きハンドオーバコマンドを受信した後の経過時間に基づく。このため、本実施形態において端末がハンドオーバを行う状況は、単に各セルにおけるPDCCHの受信品質のカバレッジの中間地点でハンドオーバを行う場合と比較して、自セルのPDCCH上の信号を確実に受信できる。すなわち、端末は適切な状況で確実にハンドオーバすることができる。
【００７４】
（第２の実施形態）
図７〜図１０を参照して、第２の実施形態の無線通信システムについて説明する。第２の実施形態の無線通信システムが第１の実施形態の無線通信システムと異なる点は、条件付きハンドオーバコマンドが示す所定の条件に基づいて端末がハンドオーバを開始すると判断した際に、端末が接続している自セルを提供する無線通信装置に当該端末が「ハンドオーバ開始メッセージ」を送信することである。この点以外は、第１の実施形態と同様であり、図７〜図１０において、第１の実施形態の該当する構成要素又はステップには同じ符号が付されている。
【００７５】
図７は、第２の実施形態の無線通信システムにおいて、端末UE2がハンドオーバを行う際のタイミングチャートの一例を示す図である。図７に示すように、端末UE2が接続している自セルを提供する無線通信装置SNE2は、端末UE2から測定結果報告（Measurement Report）などを受信し、第１の実施形態と同様に、条件付きハンドオーバの実施とそのハンドオーバ先を決定する。次に、無線通信装置SNE2は、ハンドオーバ先の無線通信装置TNEにハンドオーバ要求メッセージを送信する。無線通信装置TNEは、ハンドオーバ要求メッセージを受信すると、ハンドオーバの承認処理を行う。次に、無線通信装置TNEは、条件付きハンドオーバコマンドを含むハンドオーバ応答メッセージを無線通信装置SNE2に送信する。ハンドオーバ応答メッセージを受信した無線通信装置SNE2は、端末UE2に条件付きハンドオーバコマンドを送信する。条件付きハンドオーバコマンドには、端末UE2がハンドオーバを開始するタイミングを判断するために必要な所定の条件などが含まれる。
【００７６】
端末UE2は、条件付きハンドオーバコマンドを受信しても、第１の実施形態で説明した所定の条件を満たすまでハンドオーバを開始せず、無線通信装置SNE2との通信を継続する。言い換えれば、端末UE2は、所定の条件を満たすと、無線通信装置SNE2に「ハンドオーバ開始メッセージ」を送信する。次に、端末UE2は、無線通信装置SNE2との通信を停止し、条件付きハンドオーバコマンドで指示されている無線通信装置TNEが提供する隣接セルへのハンドオーバを開始する。また、無線通信装置SNE2は、端末UE2から送信されたハンドオーバ開始メッセージを受信すると、端末UE2宛のデータの無線通信装置TNEへのデータ転送を開始する。また、無線通信装置SNE2は、端末UE2宛のデータの送信を開始するシーケンス番号（Sequence Number）及び端末UE2からのデータを受信するシーケンス番号を無線通信装置TNEに通知する。なお、無線通信装置SNE2は、ハンドオーバ開始メッセージを受信したことにより、端末UE2がハンドオーバを開始したことを検知する。
【００７７】
ハンドオーバを開始した端末UE2は、まず、条件付きハンドオーバコマンドで指示されている無線通信装置TNEに、上り同期確立要求としてのランダムアクセスプリアンブル（Random Access Preamble）を送る。端末UE2は、無線通信装置TNEとの同期がとれると、ハンドオーバ完了メッセージ（Handover Complete）を無線通信装置TNEに送信する。以上の手順により、無線通信装置SNE2が提供する自セルから無線通信装置TNEが提供する隣接セルへのハンドオーバが行われる。
【００７８】
［第２の実施形態の端末UE2の構成］
図８は、第２の実施形態の無線通信システムを構成する端末UE2のブロック図である。図８では、図２に示した第１の実施形態の端末UE1と共通する構成要素には同じ参照符号が付されている。図８に示すように、第２の実施形態の端末UE2は、受信部１０１と、制御部２０３と、送信部１０５とを備える。制御部２０３は、測定部１１１と、ハンドオーバ判定部１１３と、ハンドオーバ情報保持部１１５と、ハンドオーバ処理部１１７と、ハンドオーバ開始メッセージ作成部２１９とを有する。制御部２０３のハンドオーバ開始メッセージ作成部２１９を除く構成要素は、第１の実施形態と同じであるため、説明を簡略化又は省略する。
【００７９】
ハンドオーバ開始メッセージ作成部２１９は、ハンドオーバ判定部１１３がハンドオーバの開始を決定すると、ハンドオーバを開始することを伝えるハンドオーバ開始メッセージを作成する。ハンドオーバ開始メッセージは送信部１０５から無線通信装置SNE2に送信される。制御部２０３は、ハンドオーバ開始メッセージが作成された後、ハンドオーバに必要な情報をハンドオーバ情報保持部１１５から読み出してハンドオーバ処理部１１７に出力する。なお、制御部２０３は、ハンドオーバ開始メッセージに対する無線通信装置SNE2からのACK（受領通知）を受信部１０１が受信した後に、ハンドオーバに必要な情報をハンドオーバ情報保持部１１５から読み出してハンドオーバ処理部１１７に出力してもよい。このようにすることで、ネットワークが端末UE2のハンドオーバを受け入れる準備にかかる時間のマージン（例えば、端末UE2宛のデータ転送に要する時間のマージン）を設けることができ、基地局等の無線通信装置の設計が簡易になる。
【００８０】
［第２の実施形態の端末UE2の動作］
図９は、所定の条件が条件１である場合の第２の実施形態の端末UE2の動作を示すフローチャートである。図９に示すように、端末UE2は、条件付きハンドオーバコマンドを受信する（ステップＳ１０１）。端末UE2は、ハンドオーバ先のセルのPDSCHの受信品質が、自セルのPDSCH（すなわち、現在使用しているPDSCH）の受信品質よりも良いか否かを判定する（ステップＳ１０２）。ステップＳ１０２の判定結果がＮｏの場合はステップＳ１０３へ移行し、Ｙｅｓの場合はステップＳ２０４へ移行する。ステップＳ１０３では、端末UE2は、現在接続しているセルとの通信を継続し、ステップＳ１０２にもどる。ステップＳ２０４では、端末UE2は、無線通信装置SNE2にハンドオーバの開始を伝えるためにハンドオーバ開始メッセージを送信する。次に、端末UE2は、現在接続しているセルとの通信を停止し、ハンドオーバ先のセルへのハンドオーバを開始する（ステップＳ１０４）。
【００８１】
なお、所定の条件が条件５である場合、端末UE2は、条件５を満たすと条件付きハンドオーバの処理を中止し、現在接続しているセルとの通信を継続することを示すメッセージを無線通信装置SNE2に送信してもよい。なお、所定の条件が条件１２〜１４の場合に関しても、端末UE2は、当該条件を満たすと条件付きハンドオーバの処理を中止し、現在接続しているセルとの通信を継続することを示すメッセージを無線通信装置SNE2に送信してもよい。
【００８２】
［第２の実施形態の無線通信装置SNE2（Source NE2）の構成］
図１０は、第２の実施形態の無線通信システムを構成する無線通信装置SNE2のブロック図である。図１０では、図５に示した第１の実施形態の無線通信装置SNE1と共通する構成要素には、同じ参照符号が付されている。図１０に示すように、第２の実施形態の無線通信装置SNE2は、無線受信部２２１と、ネットワーク用受信部１２３と、ネットワーク用送信部１２５と、無線送信部１２７と、制御部２２９とを備える。制御部２２９は、条件付きハンドオーバ判定部１３１と、ハンドオーバ要求部１３３とを有する。
【００８３】
無線受信部２２１は、端末UE2から送信されたハンドオーバ開始メッセージを受信して、制御部２２９に出力する。制御部２２９は、無線受信部２２１がハンドオーバ開始メッセージを受信すると、端末UE2宛のデータの無線通信装置TNEへの転送を開始する。なお、無線通信装置SNE2は、端末UE2からのハンドオーバ開始メッセージを受信した後に、ランダムアクセス用の個別リソースを予約するよう無線通信装置TNEに通知してもよい。
【００８４】
第２の実施形態の無線通信装置TNE（Target NE）は、第１の実施形態の無線通信装置TNEと構成及び動作とも同じである。
【００８５】
本実施形態では、端末から自セルを提供する無線通信装置に送信されるハンドオーバ開始メッセージによって、当該無線通信装置は、端末がハンドオーバを開始することを早く検知できる。また、その後、この無線通信装置は、端末宛のデータをハンドオーバ先の無線通信装置に転送する処理をすばやく開始することができる。さらに、ハンドオーバ先の無線通信装置が、端末がハンドオーバして来ることをハンドオーバ元の無線通信装置に通知すれば、ハンドオーバ先の無線通信装置は、端末がハンドオーバを開始した後に端末にリソースを割り当てなくてすむ。このため、ハンドオーバ元の無線通信装置における無線リソースを有効活用できる。
【００８６】
なお、自セルを提供する無線通信装置は、第１の実施形態の端末がハンドオーバを開始したことを検知する方法と本実施形態におけるハンドオーバ開始メッセージを受信することの双方を併用してもよい。このようにすることで、電波環境の悪化により、無線通信装置がハンドオーバ開始メッセージを受信できずに端末がハンドオーバを開始した際にも対応することができる。
【００８７】
（第３の実施形態）
図１１〜図１４を参照して、第３の実施形態の無線通信システムについて説明する。第３の実施形態の無線通信システムが第１の実施形態の無線通信システムと異なる点は、端末が条件付きハンドオーバの処理を行っている最中に無線通信装置がハンドオーバを開始すると判断した際、当該無線通信装置が「ハンドオーバ開始指示メッセージ」を端末に送信することである。この点以外は、第１の実施形態と同様であり、図１１〜図１４において、第１の実施形態の該当する構成要素又はステップには同じ符号が付されている。
【００８８】
図１１は、第３の実施形態の無線通信システムにおいて、端末UE3がハンドオーバを行う際のタイミングチャートの一例を示す図である。図１１に示すように、端末UE3が接続している自セルを提供する無線通信装置SNE3は、端末UE3から測定結果報告（Measurement Report）などを受信し、第１の実施形態と同様に、条件付きハンドオーバの実施とそのハンドオーバ先を決定する。次に、無線通信装置SNE3は、ハンドオーバ先の無線通信装置TNEにハンドオーバ要求メッセージを送信する。無線通信装置TNEは、ハンドオーバ要求メッセージを受信すると、ハンドオーバの承認処理を行う。次に、無線通信装置TNEは、条件付きハンドオーバコマンドを含むハンドオーバ応答メッセージを無線通信装置SNE3に送信する。ハンドオーバ応答メッセージを受信した無線通信装置SNE3は、端末UE3に条件付きハンドオーバコマンドを送信する。条件付きハンドオーバコマンドには、端末UE3がハンドオーバを開始するタイミングを判断するために必要な所定の条件などが含まれる。
【００８９】
端末UE3は、条件付きハンドオーバコマンドを受信しても、無線通信装置SNE3から送信された後述するハンドオーバ開始指示メッセージを受信するまで、又は、第１の実施形態で説明した所定の条件を満たすまでハンドオーバを開始せず、無線通信装置SNE3との通信を継続する。言い換えれば、端末UE3は、ハンドオーバ開始指示メッセージを受信する又は所定の条件を満たすと、無線通信装置SNE3との通信を停止し、条件付きハンドオーバコマンドで指示されている無線通信装置TNEが提供する隣接セルへのハンドオーバを開始する。また、無線通信装置SNE3は、ハンドオーバ開始指示メッセージを送信した後、端末UE3がハンドオーバを開始したことを検知すると、端末UE3宛のデータの無線通信装置TNEへの転送を開始する。また、無線通信装置SNE3は、端末UE3宛のデータの送信を開始するシーケンス番号（Sequence Number）及び端末UE3からのデータを受信するシーケンス番号を無線通信装置TNEに通知する。
【００９０】
無線通信装置SNE3は、ハンドオーバ開始指示メッセージを送信したことで、端末UE3がハンドオーバを開始したと検知する。なお、無線通信装置SNE3は、端末UE3がハンドオーバを開始したことを検知する方法として、第１の実施形態の方法と本実施形態によるハンドオーバ開始指示メッセージを送信することの双方を併用してもよい。このようにすることで、所定の条件を満たして端末UE3がハンドオーバを開始した際にも、無線通信装置SNE3は、当該ハンドオーバを検知することができる。
【００９１】
ハンドオーバを開始した端末UE1は、まず、条件付きハンドオーバコマンドで指示されている無線通信装置TNEに、上り同期確立要求としてのランダムアクセスプリアンブル（Random Access Preamble）を送る。端末UE3は、無線通信装置TNEとの同期がとれると、ハンドオーバ完了メッセージ（Handover Complete）を無線通信装置TNEに送信する。以上の手順により、無線通信装置SNE3が提供する自セルから無線通信装置TNEが提供する隣接セルへのハンドオーバが行われる。
【００９２】
［第３の実施形態の端末UE3の構成］
図１２は、第３の実施形態の無線通信システムを構成する端末UE3のブロック図である。図１２では、図２に示した第１の実施形態の端末UE1と共通する構成要素には同じ参照符号が付されている。図１２に示すように、第３の実施形態の端末UE3は、受信部１０１と、制御部３０３と、送信部１０５とを備える。制御部３０３は、測定部１１１と、ハンドオーバ判定部３１３と、ハンドオーバ情報保持部１１５と、ハンドオーバ処理部１１７とを有する。制御部３０３のハンドオーバ判定部３１３を除く構成要素は、第１の実施形態と同じであるため、説明を簡略化又は省略する。
【００９３】
ハンドオーバ判定部３１３は、条件付きハンドオーバコマンドに含まれる所定の条件に基づく判定に必要な情報を、測定部１１１に要求する。ハンドオーバ判定部３１３は、測定部１１１から入力された情報が所定の条件を満たすか否か等を判定することで、ハンドオーバを開始するか否かを決定する。また、ハンドオーバ判定部３１３は、受信部１０１がハンドオーバ開始指示メッセージを受信すると、ハンドオーバの開始を決定する。ハンドオーバ判定部３１３は、ハンドオーバの開始を決定すると、これを制御部２０３に通知する。
【００９４】
［第３の実施形態の端末UE3の動作］
図１３は、所定の条件が条件１である場合の第３の実施形態の端末UE3の動作を示すフローチャートである。図１３に示すように、端末UE3は、条件付きハンドオーバコマンドを受信する（ステップＳ１０１）。端末UE3は、ハンドオーバ先のセルのPDSCHの受信品質が、自セルのPDSCH（すなわち、現在使用しているPDSCH）の受信品質よりも良いか否かを判定する（ステップＳ１０２）。ステップＳ１０２の判定結果がＮｏの場合はステップＳ３０３へ移行し、Ｙｅｓの場合はステップＳ１０４へ移行する。ステップＳ３０３では、端末UE3は、現在接続しているセルからハンドオーバ開始指示メッセージを受信したか否かを判定する。ステップＳ３０３の判定結果がＮｏの場合はステップＳ１０３へ移行し、Ｙｅｓの場合はステップＳ１０４へ移行する。ステップＳ１０３では、端末UE3は、現在接続しているセルとの通信を継続し、ステップＳ１０２にもどる。ステップＳ１０４では、端末UE3は、現在接続しているセルとの通信を停止し、ハンドオーバ先のセルへのハンドオーバを開始する。
【００９５】
［第３の実施形態の無線通信装置SNE3（Source NE3）の構成］
図１４は、第３の実施形態の無線通信システムを構成する無線通信装置SNE3のブロック図である。図１４では、図５に示した第１の実施形態の無線通信装置SNE1と共通する構成要素には、同じ参照信号が付されている。図１４に示すように、第３の実施形態の無線通信装置SNE3は、無線受信部１２１と、ネットワーク用受信部１２３と、ネットワーク用送信部１２５と、無線送信部１２７と、制御部３２９とを備える。制御部３２９は、条件付きハンドオーバ判定部１３１及びハンドオーバ要求部１３３に加えて、ハンドオーバ開始判定部３３５をさらに有する。ハンドオーバ開始判定部３３５を除く構成要素は、第１の実施形態と同じであるため、説明を簡略化又は省略する。
【００９６】
ハンドオーバ開始判定部３３５は、条件付きハンドオーバコマンドに含まれる所定の条件、現在提供している環境、又は無線受信部１２１が受信したCSI報告若しくは測定結果報告などに基づいて、端末UE3のハンドオーバ開始を判定する。例えば、ハンドオーバ開始判定部３３５は、現在提供している環境又はCSI報告から自セルのPDSCHの受信品質とPDCCHの受信品質の差を推測し、測定結果報告から自セルのPDSCHの受信品質と隣接セルのPDSCHの受信品質を比較することで、第１の実施形態で説明した所定の条件に基づいて、端末UE3のハンドオーバの開始を判定する。ハンドオーバ開始判定部３３５は、ハンドオーバの開始を判定すると、ハンドオーバ開始指示メッセージを作成する。ハンドオーバ開始指示メッセージは、無線送信部１２７から端末UE3に送信される。制御部３２９は、ハンドオーバ開始判定部３３５がハンドオーバ開始指示メッセージを作成すると、端末UE3宛のデータの無線通信装置TNEへの転送を開始する。
【００９７】
本実施形態によれば、端末が条件付きハンドオーバコマンドを受け取った後、当該端末は、条件付きハンドオーバコマンドが示す所定の条件に基づくタイミングによらず、自セルを提供する無線通信装置からの指示によってもハンドオーバを開始することができる。
【００９８】
なお、本実施形態では、端末UE3がハンドオーバを開始する条件を、ハンドオーバ開始指示メッセージを受信することと、第１の実施形態で説明した条件１〜１１の内、条件２，４，５，８，９に限定してもよい。この場合、端末UE3は、従来の測定方法により、ハンドオーバの開始を判定することができ、無線通信装置SNE3が端末UE3により測定された自セルのPDSCHの受信品質と隣接セルPDSCHの受信品質の差を考慮してハンドオーバのタイミングを決めることができる。このように、無線通信装置SNE3と端末UE3で重複して同じ条件による判定が行われないため、簡易に適切なハンドオーバのタイミングを決定することができる。
【００９９】
なお、本実施形態の構成及び動作は、第２の実施形態に組み合わされても良い。
【０１００】
（第４の実施形態）
図１５〜図１７を参照して、第４の実施形態の無線通信システムについて説明する。第４の実施形態の無線通信システムが第１の実施形態の無線通信システムと異なる点は、条件付きハンドオーバコマンドを端末に送信した後にその内容を変更できることである。この点以外は、第１の実施形態と同様であり、図１５〜図１７において、第１の実施形態に該当する構成要素には同じ符号が付されている。
【０１０１】
図１５は、第４の実施形態の無線通信システムにおいて、端末UE4がハンドオーバを行う際のタイミングチャートの一例を示す図である。図１５に示すように、端末UE4が接続している自セルを提供する無線通信装置SNE4は、端末UE4から測定結果報告（Measurement Report）などを受信し、条件付きハンドオーバの実施とそのハンドオーバ先を決定する。次に、無線通信装置SNE4は、ハンドオーバ先の無線通信装置TNEにハンドオーバ要求メッセージを送信する。無線通信装置TNEは、ハンドオーバ要求メッセージを受信すると、ハンドオーバの承認処理を行う。次に、無線通信装置TNEは、条件付きハンドオーバコマンドを含むハンドオーバ応答メッセージを無線通信装置SNE4に送信する。ハンドオーバ応答メッセージを受信した無線通信装置SNE4は、端末UE4に条件付きハンドオーバコマンドを送信する。条件付きハンドオーバコマンドには、端末UE4がハンドオーバを開始するタイミングを判断するために必要な所定の条件などが含まれる。
【０１０２】
端末UE4は、条件付きハンドオーバコマンドを受信しても、第１の実施形態で説明した所定の条件を満たすまでハンドオーバを開始せず、無線通信装置SNE4との通信を継続する。その後、端末UE4は、所定の条件を満たすまでの間に、条件付きハンドオーバコマンドを再度受信すると、新たに受信した条件付きハンドオーバコマンドに基づく処理に変更する。なお、端末UE4は、所定の条件を満たすまでの間に、条件付きハンドオーバコマンドを再度受信すると、既に受信していた条件付きハンドオーバコマンドに新たに受信した条件付きハンドオーバコマンドを上書きしてもよい。また、端末UE4は、所定の条件を満たすまでの間に、無線通信装置SNE4から条件付きハンドオーバコマンドの取り消しが指示されると、既に受信していた条件付きハンドオーバコマンドの情報を破棄（discard）する。
【０１０３】
端末UE4は、所定の条件を満たすと、無線通信装置SNE4との通信を停止し、条件付きハンドオーバコマンドで指示されている無線通信装置TNE4が提供する隣接セルへのハンドオーバを開始する。無線通信装置SNE4は、端末UE4がハンドオーバを開始したことをなんらかの方法によって検知すると、端末UE4宛のデータの無線通信装置TNEへの転送を開始する。また、無線通信装置SNE4は、端末UE4宛のデータの送信を開始するシーケンス番号（Sequence Number）及び端末UE4からのデータを受信するシーケンス番号を無線通信装置TNEに通知する。
【０１０４】
ハンドオーバを開始した端末UE4は、まず、条件付きハンドオーバコマンドで指示されている無線通信装置TNEに、上り同期確立要求としてのランダムアクセスプリアンブル（Random Access Preamble）を送る。端末UE4は、無線通信装置TNEとの同期がとれると、ハンドオーバ完了メッセージ（Handover Complete）を無線通信装置TNEに送信する。以上の手順により、無線通信装置SNE4が提供する自セルから無線通信装置TNEが提供する隣接セルへのハンドオーバが行われる。
【０１０５】
［第４の実施形態の端末の構成］
図１６は、第４の実施形態の無線通信システムを構成する端末UE4のブロック図である。図１６では、図２に示した第１の実施形態の端末UE1と共通する構成要素には同じ参照符号が付されている。図１６に示すように、第４の実施形態の端末UE4は、受信部１０１と、制御部４０３と、送信部１０５とを備える。制御部４０３は、測定部１１１と、ハンドオーバ判定部４１３と、ハンドオーバ情報保持部４１５と、ハンドオーバ処理部１１７とを有する。制御部４０３のハンドオーバ判定部４１３とハンドオーバ情報保持部４１５を除く構成要素は、第１の実施形態と同じであるため、説明を簡略化又は省略する。
【０１０６】
ハンドオーバ判定部４１３は、受信部１０１が条件付きハンドオーバコマンドを受信すると、既にハンドオーバの開始の判定に使用する所定の条件を保持しているか否かを確認する。ハンドオーバ判定部４１３は、既に所定の条件を保持している場合、新たに受信した条件付きハンドオーバコマンドが示す所定の条件と既に保持している所定の条件との間に差分があるか否かを判定する。ハンドオーバ判定部４１３は、差分がある場合、既に保持している所定の条件にその差分を加味して、所定の条件を変更する。なお、ハンドオーバ判定部４１３は、新たな所定の条件を従前の所定の条件に上書きしてもよい。ハンドオーバ判定部４１３は、所定の条件を保持していない場合、その所定の条件を用いて、第１の実施形態の場合と同様の動作を行う。なお、ハンドオーバ判定部４１３は、受信部１０１が条件付きハンドオーバ中止メッセージ（remove）を受信すると、既に保持している所定の条件を廃棄（discard）する。
【０１０７】
ハンドオーバ情報保持部４１５は、受信部１０１が条件付きハンドオーバコマンドを受信すると、隣接セルへのハンドオーバに必要な情報を既に保持しているかを確認する。ハンドオーバ情報保持部４１５は、当該情報を既に保持している場合、新たな条件付きハンドオーバコマンドが示すハンドオーバに必要な情報との間に差分があるか否かを判定する。ハンドオーバ情報保持部４１５は、差分がある場合、保持している情報にその差分情報を加味して、保持している情報を変更する。なお、新たに入力された情報を従前の情報に上書きしてもよい。なお、ハンドオーバ情報保持部４１５は、受信部１０１が条件付きハンドオーバ中止メッセージ（remove）を受信すると、既に保持しているハンドオーバに必要な情報を廃棄（discard）する。
【０１０８】
［第４の実施形態の無線通信装置SNE4（Source NE4）の構成］
図１７は、第４の実施形態の無線通信システムを構成する無線通信装置SNE4のブロック図である。図１７では、図５に示した第１の実施形態の無線通信装置SNE1と共通する構成要素には、同じ参照符号が付されている。図１７に示すように、第４の実施形態の無線通信装置SNE4は、無線受信部１２１と、ネットワーク用受信部１２３と、ネットワーク用送信部１２５と、無線送信部１２７と、制御部４２９とを備える。制御部４２９は、条件付きハンドオーバ判定部４３１と、ハンドオーバ要求部１３３とを有する。本実施形態では、制御部４２９の条件付きハンドオーバ判定部４３１を除く構成要素は、第１の実施形態と同じであるため、説明を簡略化又は省略する。
【０１０９】
条件付きハンドオーバ判定部４３１は、端末UE4からのCSI報告若しくは測定結果報告に基づいて、条件付きハンドオーバコマンドを変更するか否かを判定する。条件付きハンドオーバ判定部４３１は、ハンドオーバ先を変えたほうがよいと判断すると、条件付きハンドオーバであることとハンドオーバ先のセルに関する情報を、ハンドオーバ要求部に出力する。また、条件付きハンドオーバ判定部４３１は、端末UE4のCSI報告又は測定結果報告に基づいて、端末UE4に送信した条件付きハンドオーバコマンドを中止するか否かを判定する。条件付きハンドオーバ判定部４３１は、条件付きハンドオーバコマンドを中止すると判定すると、制御部４２９にその旨を出力する。
【０１１０】
制御部４２９は、ネットワーク用受信部１２３がハンドオーバ応答メッセージを受信すると、条件付きハンドオーバコマンドに変更があるか否かを判定する。制御部４２９は、条件付きハンドオーバコマンドに変更があると判定すると、データ転送先のセルを新たに入力された条件付きハンドオーバコマンドに応じて更新する。また、制御部４２９は、条件付きハンドオーバコマンドを中止する旨を条件付きハンドオーバ判定部４３１から入力されると、条件付きハンドオーバ中止メッセージを作成し、無線送信部１２７に出力する。なお、制御部４２９は、条件付きハンドオーバコマンドを変更又は中止する際に、既に設定していたハンドオーバ先のセルに対して、条件付きハンドオーバコマンドの変更又は中止を通知することを、ネットワーク用送信部１２５に出力してもよい。
【０１１１】
本実施形態によれば、端末の移動に応じてハンドオーバ先を変更したり、ハンドオーバを取り消したりすることができ、端末にとってよりよいセルへの接続を維持することができる。
【０１１２】
なお、本実施形態の構成及び動作は、第２の実施形態又は第３の実施形態に組み合わされても良い。
【０１１３】
なお、上記各実施形態では多地点協調（Coordinated Multiple Point：CoMP）を一例として説明したが、本開示は、PDCCHの受信品質のカバレッジとPDSCHの受信品質のカバレッジに差がある場合に適用することができる。例えば、本開示をヘテロジーニアスネットワーク（Heterogeneous Network）環境に適用することができる。例えば、マクロセルが特定のサブフレームにおいて、信号を送信しない又は低電力で送信するサブフレームであるABS(Almost Blank Subframe)を適用する場合がある。このとき、マクロセルのカバレッジ内にあるピコセルを使用している端末は、本開示を適用することにより、ピコセルに接続する時間を長くすることができる。これによって、マクロセルとピコセル間のオフロードを最大限行うことができる。また、例えば、本開示を無線通信装置間でアンテナ本数の異なる無線通信システムに適用することができる。例えば、４本アンテナで運用している無線通信装置に接続している端末が、２本アンテナで運用している無線通信装置にハンドオーバする際に、４本アンテナの無線通信装置により長く接続することができる。これによって、端末は高いスループットを享受することができる。
【０１１４】
上記各実施形態では、本開示をハードウェアで構成する場合を例にとって説明したが、本開示はハードウェアとの連携においてソフトウェアで実現することも可能である。
【０１１５】
また、上記各実施形態の説明に用いた各機能ブロックは、典型的には集積回路であるＬＳＩとして実現される。これらは個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０１１６】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０１１７】
さらには、半導体技術の進歩又は派生する別技術によりＬＳＩに置き換わる集積回路化の技術が登場すれば、当然、その技術を用いて機能ブロックの集積化を行っても良い。バイオ技術の適用等が可能性としてありえる。
【０１１８】
なお、上記実施形態ではアンテナとして説明したが、アンテナポートでも同様に適用できる。アンテナポート（Antenna port）とは、１本又は複数の物理アンテナから構成される論理的なアンテナを指す。すなわち、アンテナポートは必ずしも１本の物理アンテナを指すとは限らず、複数のアンテナから構成されるアレイアンテナ等を指すことがある。例えばＬＴＥ（Long Term Evolution）においては、アンテナポートが何本の物理アンテナから構成されるかは規定されず、基地局が異なる参照新号（Reference signal）を送信できる最小単位として規定されている。また、アンテナポートは、プリコーディング・ベクトル（Precoding vector）の重み付けを乗算する最小単位として規定されることもある。
【０１１９】
本開示を詳細にまた特定の実施態様を参照して説明したが、本開示の精神と範囲を逸脱することなく様々な変更や修正を加えることができることは当業者にとって明らかである。
【０１２０】
本出願は、2011年8月12日出願の日本特許出願（特願2011-176975）に基づくものであり、その内容はここに参照として取り込まれる。
【産業上の利用可能性】
【０１２１】
本開示に係る無線通信端末は、自セルにおけるデータチャネルの信号の受信品質が制御チャネルの信号の受信品質と異なる場合であっても、適切な状況で隣接セルにハンドオーバする無線通信端末等として有用である。
【符号の説明】
【０１２２】
UE1，UE2，UE3，UE4  無線通信端末
１０１  受信部
１０３，２０３，３０３，４０３  制御部
１０５  送信部
１１１  測定部
１１３，３１３，４１３  ハンドオーバ判定部
１１５，４１５  ハンドオーバ情報保持部
１１７  ハンドオーバ処理部
２１９  ハンドオーバ開始メッセージ作成部
SNE1,SNE2,SNE3,SNE4  無線通信装置
１２１，２２１  無線受信部
１２３  ネットワーク用受信部
１２５  ネットワーク用送信部
１２７  無線送信部
１２９，２２９，３２９，４２９  制御部
１３１，４３１  条件付きハンドオーバ判定部
１３３  ハンドオーバ要求部
３３５  ハンドオーバ開始判定部
TNE  無線通信装置
１４１  無線受信部
１４３  ネットワーク用受信部
１４５  ネットワーク用送信部
１４７  無線送信部
１４９  制御部
１５１  条件付きハンドオーバコマンド作成部
【図１】
0006047491.tif 000002
【図２】
0006047491.tif 000003
【図３】
0006047491.tif 000004
【図４】
0006047491.tif 000005
【図５】
0006047491.tif 000006
【図６】
0006047491.tif 000007
【図７】
0006047491.tif 000008
【図８】
0006047491.tif 000009
【図９】
0006047491.tif 000010
【図１０】
0006047491.tif 000011
【図１１】
0006047491.tif 000012
【図１２】
0006047491.tif 000013
【図１３】
0006047491.tif 000014
【図１４】
0006047491.tif 000015
【図１５】
0006047491.tif 000016
【図１６】
0006047491.tif 000017
【図１７】
0006047491.tif 000018
【図１８】
0006047491.tif 000019
【図１９】
0006047491.tif 000020